(57)【要約】【課題】ユーザビリティが高い表示機器を提供する。【解決手段】表示制御部は、第一選択肢群の選択肢の一が選択されているときには、先頭の表示領域に先頭の選択肢を表示させると共に、残りの表示領域に配列に基づいて他の選択肢を表示させ、かつ、選択されている一の選択肢を強調表示させ、第二選択肢群の選択肢の一が選択動作部により選択されているときには、最後尾の表示領域に最後尾の選択肢を表示させると共に、残りの表示領域に配列に基づいて他の選択肢を表示させ、かつ、選択されている一の選択肢を強調表示させ、第三選択肢群の選択肢の一が選択動作部により選択されているときには、選択された一の選択肢を複数の表示領域のうち予め定められた表示領域に表示させると共に、残りの表示領域に配列に基づいて他の選択肢を表示させ、かつ、選択されている一の選択肢を強調表示させる、ことを特徴とする。  【選択図】図３
2008052605.tif 000002
【特許請求の範囲】
【請求項１】
連続して配列された複数の選択肢を記憶する記憶部と、
前記複数の選択肢から一の選択肢を前記配列の順又は逆順に選択する選択動作部と、
複数の表示領域を有して各表示領域に前記選択肢の一つを表示可能に構成された表示部と、
前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、
前記複数の選択肢は、前記配列の先頭の選択肢より、前記表示領域の数から所定数を引いた数と同数番目の選択肢で構成される第一選択肢群と、その他の選択肢のうち前記配列の最後尾より前記表示領域の数から所定数を引いた数と同数番目の選択肢で構成される第二選択肢群と、前記第一選択肢群にも前記第二選択肢群にも該当しない第三選択肢群と、を有し、
前記表示制御部は、
前記第一選択肢群に係る選択肢の一が前記選択動作部により選択されているときには、先頭の前記表示領域に前記先頭の選択肢を表示させると共に、残りの表示領域に前記配列に基づいて他の選択肢を表示させ、かつ、前記選択されている一の選択肢を強調表示させ、
前記第二選択肢群に係る選択肢の一が前記選択動作部により選択されているときには、最後尾の前記表示領域に前記最後尾の選択肢を表示させると共に、残りの表示領域に前記配列に基づいて他の選択肢を表示させ、かつ、前記選択されている一の選択肢を強調表示させ、
前記第三選択肢群に係る選択肢の一が前記選択動作部により選択されているときには、前記選択された一の選択肢を前記複数の表示領域のうち予め定められた表示領域に表示させると共に、残りの表示領域に前記配列に基づいて他の選択肢を表示させ、かつ、前記選択されている一の選択肢を強調表示させる
ことを特徴とする表示機器。
【請求項２】
前記予め定められた表示領域は、前記複数の表示領域のうち先頭又は最後尾以外の表示領域であり、
前記表示制御部は、前記予め定められた表示領域の前後の表示領域に前記選択された一の選択肢の前後の選択肢をそれぞれ表示させる
ことを特徴とする請求項１に記載の表示機器。
【請求項３】
前記予め定められた表示領域は、前記第一選択肢群における最後尾の選択肢が表示される表示領域と同一である
ことを特徴とする請求項１又は請求項２に記載の表示機器。
【請求項４】
前記予め定められた表示領域は、前記第二選択肢群における先頭の選択肢が表示される表示領域と同一である
ことを特徴とする請求項２又は請求項３に記載の表示機器。
【請求項５】
複数の機能を動作制御する機能動作部と、
前記選択動作部により選択された一の選択肢を確定する確定動作部と、をさらに有し、
前記記憶部は、前記複数の機能に対応する選択肢を複数記憶し、
前記機能動作部は、前記確定動作部により確定された前記一つの選択肢の前記一の機能を動作制御し、
前記表示制御部は、前記機能に係る一の選択肢が前記選択動作部により選択されると共に、前記確定動作部により確定されると、前記確定された前記一つの選択肢の機能に係る表示を行うと共に、前記表示領域への前記選択肢の表示および前記強調表示を消去し、前記一の機能が前記機能動作部により終了動作されると、前記終了動作された機能に係る一の選択肢が前記確定動作部により確定される前の状態で前記複数の選択肢を前記表示部に表示させる
ことを特徴とする請求項１乃至請求項４のいずれか一項に記載の表示機器。
【請求項６】
連続して配列された複数の選択肢を記憶する記憶部と、
前記複数の選択肢から一の選択肢を前記配列の順又は逆順に選択する選択動作部と、
複数の表示領域を有して各表示領域に前記選択肢の一つを表示可能に構成された表示部と、
前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、
前記複数の選択肢は、前記配列の先頭の選択肢より、前記表示領域の数から所定数を引いた数と同数番目の選択肢で構成される第一選択肢群と、その他の選択肢のうち前記配列の最後尾より前記表示領域の数から所定数を引いた数と同数番目の選択肢で構成される第二選択肢群と、前記第一選択肢群にも前記第二選択肢群にも該当しない第三選択肢群と、を有し、
前記表示制御部は、
前記選択動作部により前記第一選択肢群または前記第二選択肢群に係る選択肢の一が前記選択動作部により選択されているときには、当該選択肢が表示されている表示領域を強調表示させ、
前記第三選択肢群に係る選択肢の一が前記選択動作部により選択されているときには、前記強調表示される表示領域が固定され、かつ、当該固定された表示領域に選択された一の選択肢を表示させる
ことを特徴とする表示機器。
【請求項７】
連続して配列された複数の選択肢を記憶する記憶部と、
前記複数の選択肢から一の選択肢を前記配列の順又は逆順に選択する選択動作部と、
複数の表示領域を有して各表示領域に前記選択肢の一つを表示可能に構成された表示部と、
前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、
前記複数の選択肢は、前記配列の先頭の選択肢から前記表示領域の数から所定数を引いた数と同数番目の選択肢で構成される第一選択肢群と、その他の選択肢群と、を有し
前記表示制御部は、
前記第一選択肢群に係る選択肢の一が前記選択動作部により選択されているときには、先頭の前記表示領域に前記先頭の選択肢を表示させると共に、残りの表示領域に前記配列に基づいて他の選択肢を表示させ、かつ、前記選択されている一の選択肢を強調表示させると共に、
前記その他の選択肢群に係る選択肢の一が前記選択動作部により選択されているときには、前記選択された一の選択肢を前記複数の表示領域のうち予め定められた表示領域に表示させると共に、残りの表示領域に前記配列に基づいて他の選択肢を表示させ、かつ、前記選択されている一の選択肢を強調表示させる
ことを特徴とする表示機器。
【請求項８】
連続して配列された複数の選択肢を記憶する記憶部と、
前記複数の選択肢から一の選択肢を前記配列の順又は逆順に選択する選択動作部と、
複数の表示領域を有して各表示領域に前記選択肢の一つを表示可能に構成された表示部と、
前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、
前記複数の選択肢は、前記配列の最後尾の選択肢から前記表示領域の数から所定数を引いた数と同数番目の選択肢で構成される第二選択肢群と、その他の選択肢群と、を有し
前記表示制御部は、
前記第二選択肢群に係る選択肢の一が前記選択動作部により選択されているときには、最後尾の前記表示領域に前記最後尾の選択肢を表示させると共に、残りの表示領域に前記配列に基づいて他の選択肢を表示させ、かつ、前記選択されている一の選択肢を強調表示させると共に、
前記その他の選択肢群に係る選択肢の一が前記選択動作部により選択されているときには、前記選択された一の選択肢を前記複数の表示領域のうち予め定められた表示領域に表示させると共に、残りの表示領域に前記配列に基づいて他の選択肢を表示させ、かつ、前記選択されている一の選択肢を強調表示させる
ことを特徴とする表示機器。
【発明の詳細な説明】
【技術分野】
【０００１】
本発明は、複数の選択肢画面を表示する表示部を有する表示機器に関する。
【背景技術】
【０００２】
近年、携帯電話等、表示部を有する表示機器において、当該表示機器の各機能を選択し起動させるためのメニュー画面をはじめとする複数の選択肢から一の選択肢を選択させるための選択画面が表示部に表示されるようになっているものが多々ある。
このような選択画面では、現在選択されている機能を示すフォーカス位置（例えば白黒反転や色付け等によって強調されて表示される）は、ユーザの操作部を介したキー入力等により選択された機能をフォーカスするよう画面上で移動する。
【０００３】
近年では携帯電話等の電子機器が実行できる機能が増え、従ってメニュー画面に表示するべき項目も増加しており、全ての項目が表示部の１画面内におさまらない場合がある。この場合、フォーカス位置に合わせて画面をスクロールさせることにより、全てのメニュー項目を表示部に表示するスクロール方式と呼ばれるメニュー画面表示方式が知られている。
【０００４】
図５は、従来の画面スクロールするスクロール方式の一形態を説明するための図である。
図５（ａ）〜（ｅ）は、ユーザの下入力に対して、フォーカス位置がメニュー項目内で下に移動していく様子を示している。
図５（ｆ）及び（ｇ）は、ユーザの下入力に対して、メニュー画面全体がメニュー画面に対して下にスクロールし、フォーカス位置がメニュー項目の中で最下段に固定されている様子を示している。図５（ｈ）は、図５（ｇ）に示された状態でユーザが上入力をし、フォーカス位置が最下段から上に移動した様子を示している。
【０００５】
また、別の画面をスクロールさせてメニュー画面を表示させる方式として、特許文献１に開示された技術がある。
特許文献１には、メニュー上でのカーソル（フォーカス位置）の移動時間を測定し、測定したカーソル移動時間によってカーソル移動方式を変化させることにより、メニューを検索するユーザの利便性を向上させる技術が開示されている。
【特許文献１】特開２００６−１４６８９７号公報
【発明の開示】
【発明が解決しようとする課題】
【０００６】
しかし、例えば図５を参照して説明したようなスクロールする方式では、図５（ｇ）および図５（ｈ）に示すようにフォーカス位置が画面の最下段或いは最上段にある場合にユーザが上入力（或いは下入力）をするとフォーカス位置が画面最下段（或いは最上段）から１個上（或いは下）に移動することになる。こうした表示方法の場合、上下の動作を繰り返したとき、現在のフォーカス位置が全メニュー項目の内のどこにあるかをユーザが直感的に理解することが難しい、という不利益がある。
【０００７】
また、特許文献１に開示された技術では、カーソルの移動時間に応じて図５を参照して説明したスクロール方式か、或いはフォーカス位置を画面の中央領域に固定した上で、画面全体をメニュー画面に対してスクロールさせる画面表示方式を行う。しかし、後者の画面表示方式を行った場合、例えば先頭又は最後尾の項目が選択されると、先頭又は最後尾の項目は固定された中央領域にて表示されることとなるため、先頭の項目より前に係る表示領域、或いは最後尾の機能の後ろに係る表示領域は空白となる（先頭の項目より前の項目、或いは最後尾の項目より後ろの項目は存在しないため。）。つまり、表示可能であるにも関わらず何の項目も表示されない表示領域が発生してしまうこととなり、表示領域を有効活用できない上、ユーザは操作上違和感を覚える、といった課題があった。
【０００８】
本発明は、上述した不利益を解消するために、ユーザビリティが高い表示機器を提供することを目的とする。
【課題を解決するための手段】
【０００９】
上述した目的を達成するために、第１の発明の表示機器は、連続して配列された複数の選択肢を記憶する記憶部と、前記複数の選択肢から一の選択肢を前記配列の順又は逆順に選択する選択動作部と、複数の表示領域を有して各表示領域に前記選択肢の一つを表示可能に構成された表示部と、前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、前記複数の選択肢は、前記配列の先頭の選択肢より、前記表示領域の数から所定数を引いた数と同数番目の選択肢で構成される第一選択肢群と、その他の選択肢のうち前記配列の最後尾より前記表示領域の数から所定数を引いた数と同数番目の選択肢で構成される第二選択肢群と、前記第一選択肢群にも前記第二選択肢群にも該当しない第三選択肢群と、を有し、前記表示制御部は、前記第一選択肢群に係る選択肢の一が前記選択動作部により選択されているときには、先頭の前記表示領域に前記先頭の選択肢を表示させると共に、残りの表示領域に前記配列に基づいて他の選択肢を表示させ、かつ、前記選択されている一の選択肢を強調表示させ、前記第二選択肢群に係る選択肢の一が前記選択動作部により選択されているときには、最後尾の前記表示領域に前記最後尾の選択肢を表示させると共に、残りの表示領域に前記配列に基づいて他の選択肢を表示させ、かつ、前記選択されている一の選択肢を強調表示させ、前記第三選択肢群に係る選択肢の一が前記選択動作部により選択されているときには、前記選択された一の選択肢を前記複数の表示領域のうち予め定められた表示領域に表示させると共に、残りの表示領域に前記配列に基づいて他の選択肢を表示させ、かつ、前記選択されている一の選択肢を強調表示させる、ことを特徴とする。  
【００１０】
第２の発明の表示機器は、前記予め定められた表示領域は、前記複数の表示領域のうち先頭又は最後尾以外の表示領域であり、前記表示制御部は、前記予め定められた表示領域の前後の表示領域に前記選択された一の選択肢の前後の選択肢をそれぞれ表示させる、ことを特徴とする。
【００１１】
第３の発明の表示機器は、前記予め定められた表示領域は、前記第一選択肢群における最後尾の選択肢が表示される表示領域と同一である、ことを特徴とする。
【００１２】
第４の発明の表示機器は、前記予め定められた表示領域は、前記第二選択肢群における先頭の選択肢が表示される表示領域と同一である、ことを特徴とする。
【００１３】
第５の発明の表示機器は、複数の機能を動作制御する機能動作部と、前記選択動作部により選択された一の選択肢を確定する確定動作部と、をさらに有し、前記記憶部は、前記複数の機能に対応する選択肢を複数記憶し、前記機能動作部は、前記確定動作部により確定された前記一つの選択肢の前記一の機能を動作制御し、前記表示制御部は、前記機能に係る一の選択肢が前記選択動作部により選択されると共に、前記確定動作部により確定されると、前記確定された前記一つの選択肢の機能に係る表示を行うと共に、前記表示領域への前記選択肢の表示および前記強調表示を消去し、前記一の機能が前記機能動作部により終了動作されると、前記終了動作された機能に係る一の選択肢が前記確定動作部により確定される前の状態で前記複数の選択肢を前記表示部に表示させる、ことを特徴とする。
【００１４】
第６の発明の表示機器は、連続して配列された複数の選択肢を記憶する記憶部と、前記複数の選択肢から一の選択肢を前記配列の順又は逆順に選択する選択動作部と、複数の表示領域を有して各表示領域に前記選択肢の一つを表示可能に構成された表示部と、前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、前記複数の選択肢は、前記配列の先頭の選択肢より、前記表示領域の数から所定数を引いた数と同数番目の選択肢で構成される第一選択肢群と、その他の選択肢のうち前記配列の最後尾より前記表示領域の数から所定数を引いた数と同数番目の選択肢で構成される第二選択肢群と、前記第一選択肢群にも前記第二選択肢群にも該当しない第三選択肢群と、を有し、前記表示制御部は、前記選択動作部により前記第一選択肢群または前記第二選択肢群に係る選択肢の一が前記選択動作部により選択されているときには、当該選択肢が表示されている表示領域を強調表示させ、前記第三選択肢群に係る選択肢の一が前記選択動作部により選択されているときには、前記強調表示される表示領域が固定され、かつ、当該固定された表示領域に選択された一の選択肢を表示させる、ことを特徴とする。
【００１５】
第７の発明の表示機器は、連続して配列された複数の選択肢を記憶する記憶部と、前記複数の選択肢から一の選択肢を前記配列の順又は逆順に選択する選択動作部と、複数の表示領域を有して各表示領域に前記選択肢の一つを表示可能に構成された表示部と、前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、前記複数の選択肢は、前記配列の先頭の選択肢から前記表示領域の数から所定数を引いた数と同数番目の選択肢で構成される第一選択肢群と、その他の選択肢群と、を有し前記表示制御部は、前記第一選択肢群に係る選択肢の一が前記選択動作部により選択されているときには、先頭の前記表示領域に前記先頭の選択肢を表示させると共に、残りの表示領域に前記配列に基づいて他の選択肢を表示させ、かつ、前記選択されている一の選択肢を強調表示させると共に、前記その他の選択肢群に係る選択肢の一が前記選択動作部により選択されているときには、前記選択された一の選択肢を前記複数の表示領域のうち予め定められた表示領域に表示させると共に、残りの表示領域に前記配列に基づいて他の選択肢を表示させ、かつ、前記選択されている一の選択肢を強調表示させる、ことを特徴とする。
【００１６】
第８の発明の表示機器は、連続して配列された複数の選択肢を記憶する記憶部と、前記複数の選択肢から一の選択肢を前記配列の順又は逆順に選択する選択動作部と、複数の表示領域を有して各表示領域に前記選択肢の一つを表示可能に構成された表示部と、前記選択動作部により選択された一の選択肢を前記表示部の複数の表示領域のいずれかに表示させると共に、残りの表示領域に前記配列に基づいてその他の選択肢を表示させ、前記選択されている一の選択肢を強調表示させる表示制御部と、を有し、前記複数の選択肢は、前記配列の最後尾の選択肢から前記表示領域の数から所定数を引いた数と同数番目の選択肢で構成される第二選択肢群と、その他の選択肢群と、を有し前記表示制御部は、前記第二選択肢群に係る選択肢の一が前記選択動作部により選択されているときには、最後尾の前記表示領域に前記最後尾の選択肢を表示させると共に、残りの表示領域に前記配列に基づいて他の選択肢を表示させ、かつ、前記選択されている一の選択肢を強調表示させると共に、前記その他の選択肢群に係る選択肢の一が前記選択動作部により選択されているときには、前記選択された一の選択肢を前記複数の表示領域のうち予め定められた表示領域に表示させると共に、残りの表示領域に前記配列に基づいて他の選択肢を表示させ、かつ、前記選択されている一の選択肢を強調表示させる、ことを特徴とする。
【発明の効果】
【００１７】
本発明によれば、ユーザビリティが高い表示機器を提供することを目的とする。
【発明を実施するための最良の形態】
【００１８】
以下、本実施形態の端末装置について説明する。
図１は、本実施形態の表示機器たる端末装置１００の構成を示すブロック図である。
図１に示すように、端末装置１００は、操作部１、表示部２、記憶部３、制御部４を有する。
【００１９】
以下、各構成について説明する。
操作部１は、十字キー、テンキー等の入力デバイスであり、ユーザの操作を入力として受け付ける。
表示部２は、ＬＣＤ（Liquid Crystal Display）等の画面を有する表示デバイスであり、後述する表示制御部４３の制御に従って、端末装置１００の各動作に応じた表示（例えば、電話着信時に発信元を表示したり、着信したｅメールを表示したり、着信時に着信画面を表示したりする）。
【００２０】
本実施形態では、表示部２に複数の選択肢から一の選択肢を選択させるための選択画面の一例としてのメニュー画面、すなわち、端末装置１００の各機能を選択するための画面が表示されている場合が想定されている。
記憶部３は、端末装置１００の動作に必要なプログラム等のデータを記憶する。また、制御部４の各部が動作する際に、作業領域を用意する。本実施形態では、連続して配列された複数の選択肢としてのメニューの各項目を記憶する。そして、後述する予め定められた表示領域を記憶する。
【００２１】
制御部４は、選択動作部４１、表示制御部４３、機能動作部４４を有する。
選択動作部４１は、操作部１を介したユーザの入力に従って、確定動作部４２は、選択動作部４１が選択した項目を、操作部１を介したユーザの入力等に基づいてその選択を確定する。
【００２２】
表示制御部４３は、端末装置１００の各動作に応じた画面を表示部２に表示させる。本実施形態においては、表示制御部４３は、表示部２に対してメニュー画面を表示させたり、選択動作部４１により選択された一の選択肢を表示領域のいずれかに表示させたり、残りの表示領域に前記配列に基づいてその他の選択肢を表示させたり、選択されている一の選択肢を強調表示させたり、確定動作部４２により確定された機能に係る表示を表示させたり又は一度表示させた機能に係る表示を消去したりする等の表示制御を行う。なお、メニュー画面は、記憶部３に記憶された複数の選択肢の配列に基づいて表示されるものとする。
【００２３】
機能動作部４４は、端末装置１００の各動作を制御する。すなわち、機能動作部４４は、操作部１を介したユーザの入力に従って、記憶部３から必要なデータを読み出し、音声通話機能、ｅメール機能、アプリケーション機能等を実行・動作させたり、図１に図示しないマイク・スピーカ等を制御したりする。
【００２４】
上述したように、以下では、表示制御部４３が表示部２にメニュー画面を表示させている場合について説明する。
図２は、表示部２に表示されるメニュー画面について説明するための図である。
図２に示すメニュー画面では、一例として、１画面に表示されるメニュー項目（選択肢）の数（表示領域の数）を６個、メニュー項目の総数を１２個としている。しかし、本発明では、１画面に表示されるメニュー項目の数及びメニュー項目の総数は限定しない。
また、図２に示したメニュー画面では、メニュー項目が上下に並べられているが、本発明はこれには限定されず、左右や斜めに並べられていてもよい。また、現在選択されている項目又は、当該項目が表示されている表示領域には強調表示されており、以下では強調表示された項目をフォーカス位置と称する。なお、この強調表示には、項目自体のフォントや色をかえる表示や表示領域を反転表示したりハッチングを施したりする表示等を含む。
また、図２において、機能１〜機能１２は、端末装置１００の有する機能の一部である。端末装置１００は、この他にも機能を有し、それらの機能に対しては別のメニュー画面を有していてもよい。
【００２５】
図２（ａ）は、メニュー画面の初期状態を示す図であり、選択動作部４１により一番先頭の項目１が選択され、表示制御部４３が項目１を一番先頭のメニュー項目に合うように表示すると共に強調表示している状態を示している。
そして、図２（ａ）に示す状態から、操作部１の下キーが押下されるごとに、メニュー項目の配列の順に項目が選択され、表示制御部４３はその選択された項目を順に強調表示する。つまり、フォーカス位置は、１つずつ下に移動する。例えば、下キーが３回押下されると、図２（ｂ）に示すように、項目４が選択され、フォーカス位置は、メニュー画面の最下段から２つ上の位置に到達する。
【００２６】
なお、項目１から項目４（第一選択肢群）については、選択動作部４１は、操作部１の上キーの押下に従って、項目を記憶部３に記憶されたメニュー項目の配列の逆順に選択肢を選択し、表示制御部４３は、当該選択された項目を強調表示する。つまり、フォーカス位置は上方向に移動される。
【００２７】
さて、図２（ｂ）に示す最下段からフォーカス位置が２つ上の位置にある状態から、さらに操作部１の下キーの押下に応じて、順に項目を選択すると、表示制御部４３は、図２（ｃ）に示すように、フォーカス位置を現在の位置（最下段から１つ上の位置）に固定したまま、画面内に表示されているメニュー項目全体を表示部２の画面に対して上にずらして表示するよう制御する。
図２（ｃ）は、図２（ｂ）に示す状態から６回の下キー押下に応じて、項目１０が選択されると共にフォーカス位置自体は移動せずにメニュー項目全体が表示部２の画面に対して６つ上にずれた結果を示している。
【００２８】
図２（ｂ）と図２（ｃ）との間、すなわち、項目４から項目１０（第三選択肢群）までが選択された場合においては、表示制御部４３は、フォーカス位置がメニュー画面の最下段から２つ前の位置にある状態から、操作部１の下キーが１回押下された場合には、フォーカス位置自体は変えずにメニュー項目全体を表示部２の画面に対して１つ上にずらすように表示部２を制御する。
【００２９】
なお、ここではフォーカス位置をメニュー画面の最下段から２つ前の位置に固定したままメニュー項目全体を上にずらすとしたが、本発明はこれに限定されない。すなわち、フォーカス位置が固定される位置は一定の位置であれば良く、この位置はメニュー画面の最下段から何個目の位置でもよい。なお、このフォーカス位置は、予め定められており、この設定は記憶部３に記憶されている。
【００３０】
また、本実施形態のように、フォーカス位置が先頭又は最後尾の表示領域とは異なる表示領域（メニュー画面の最下段から２つ前）で固定されると、選択された項目の前後の項目がフォーカス位置の前後の表示領域に表示されることとなり、かかる構成は操作性の観点から好ましいことをここで断っておく。
【００３１】
すなわち、本発明では、フォーカス位置が最下段から所定数、例えばｎ個（ｎは正の整数：所定の数）個目の位置にある場合に、下キーが１回押下されたときには、フォーカス位置自体は変えずにメニュー項目全体を１つ前にずらして表示させる。
【００３２】
また、逆に、図２（ｃ）に示した状態から上キーが６回押下されることによって、項目を逆順に選択した場合においても表示制御部４３は、フォーカス位置自体は変えずに、メニュー項目全体を６つ下にずらして図２（ｂ）に示す画面を表示部２に表示させる。図２（ｂ）と図２（ｃ）の間の状態、すなわちフォーカス位置が項目４から１０に合っている場合には、表示制御部４３は、１回の上キー押下に応じて、フォーカス位置自体は変えずに、メニュー項目全体を表示部２の画面に対して１つ下にずらして表示させる。
【００３３】
次に、図２（ｃ）に示した状態からさらに１回下キーが押下されて項目１１が選択された場合には、表示制御部４３はメニュー項目全体を表示部２の画面に対して１つ上にずらそうとしても、最下段に表示できる項目が存在しない。このため、図２（ｃ）に示した状態からさらに１回下キーが押下された場合には、表示制御部４３は、図２（ｄ）に示すように、フォーカス位置を最下段から１個上の位置に移動させるよう制御する。
【００３４】
次に、図２（ｄ）に示した、フォーカス位置が最下段から１個上の位置にある状態から、１回の下キー押下に従って、項目１２が選択されると表示制御部４３は、図２（ｅ）に示すようにフォーカス位置をメニュー画面の最下段かつメニュー項目の最後尾（項目１２）の位置に表示させる。なお、選択されるとフォーカス位置が選択された表示領域の位置まで移動される項目１１および項目１２を第２選択肢群とする。
次に、図２（ｅ）に示した、フォーカス位置が画面内の最下段かつメニュー項目の最後尾（項目１２）に合っている状態から、さらに下キーが押下されることによって、選択動作部４１は項目１を選択し、表示制御部４３は、フォーカス位置を図２（ａ）に示した状態、すなわち画面内の最上段かつメニュー項目の先頭に合った状態にして表示させる。逆に、フォーカス位置が画面内の最上段かつメニュー項目の先頭（項目１）に合っている状態から、さらに上キーが押下されることによって、選択動作部４１は項目１２を選択し、表示制御部４３は、フォーカス位置を図２（ｅ）に示した状態、すなわち画面内の最下段かつメニュー項目の最後尾に合った状態にして表示させる。
【００３５】
以上が、本実施形態の表示制御部４３のメニュー画面表示時の表示例である。
以下、具体的に表示制御部４３のメニュー画面表示時の動作例を説明する。
図３は、表示制御部４３のメニュー画面表示時の動作例を示すフローチャートである。
【００３６】
ステップＳＴ１：
制御部４は、メニュー画面に表示すべき全メニュー項目を第一選択肢群、第二選択肢群および第三選択肢群とに分割する。ここで、第一選択肢群とは、先頭の選択肢から表示領域の数から所定数を引いた数と同数番目の選択肢で構成される選択肢群であり、第二選択肢群は、第一選択肢群以外の選択肢群のうち最後尾から当該所定数個の選択肢で構成される選択肢群であり、第三選択肢群は、第一選択肢群にも前記第二選択肢群にも該当しない選択肢群をいう。また、所定数とは、０を含むと共に表示部２に表示させることのできる表示領域の数よりも小さい値を有する整数であるとする。
具体的には、表示制御部４３は、１画面内に表示できるメニュー項目（選択肢）の数（表示領域の数）がｓ個、メニュー項目の総数がｔ個である場合に、項目１から項目ｓ−ｎ（ｎ：所定数、ｎは正の整数）までの項目を第一選択肢群、項目ｓ−ｎから項目ｔ−ｎまでの項目を第三選択肢群、項目ｔ−ｎから項目ｔまでの項目を第二選択肢群であるとする。なお、上記した本実施形態においては、ｓ＝６、ｔ＝１２、ｎ＝２となる。
【００３７】
ステップＳＴ２：
表示制御部４３は、操作部１を介したユーザの操作に従って、選択動作部４１により選択された項目が第一選択肢群（項目１から項目ｓ−ｎ）の内のいずれかであればステップＳＴ３へ進み、選択された項目が第三選択肢群の内のいずれか（項目ｓ−ｎから項目ｔ−ｎ）であればステップＳＴ４へ進み、選択された項目が第二選択肢群の内のいずれか（項目ｔ−ｎからｔ）であればステップＳＴ５へ進む。なお、項目ｓ−ｎは第一選択肢群と第三選択肢群のいずれととらえてもよく、同様に、項目ｔ−ｎは、第二選択肢群と第三選択肢群のいずれととらえてもよい。つまり、選択された項目がｓ−ｎである場合には、ステップＳＴ３、ステップＳＴ４のいずれのステップに進んでもよく、選択された項目がｔ−ｎである場合には、ステップＳＴ４、ステップＳＴ５のいずれのステップに進んでもよいものとする。
【００３８】
ステップＳＴ３：
表示制御部４３は、第一選択肢群の内の１つの項目が選択動作部４１によって選択されたときには、例えば図２（ａ）から図２（ｂ）に示すように、先頭の項目（項目１）を画面の最上段に、それ以下の項目を配列に基づいて順に並べて表示させ、選択されている項目にフォーカス位置を合わせる（強調表示する）。
【００３９】
ステップＳＴ４：
表示制御部４３は、第三選択肢群の内の１つの項目が選択動作部４１によって選択されているときには、例えば図２（ｂ）に示すように、フォーカス位置がメニュー画面の最下段（最後尾の表示領域）からｎ−１個上（記憶部３に予め定められた表示領域）に位置するように表示させる。なお、このメニュー画面の最下段からｎ−１個上に位置する一定の領域は、第一選択肢群の最後尾の項目ｓ−ｎが選択された際に表示部２に表示される領域と同一である（本発明は同一でない場合も含む）。すなわち、第一選択肢群の最後尾の項目であるｓ−ｎの項目が選択されてから次に第二選択肢群の先頭の項目が選択された場合、そのフォーカス位置は変化しないこととなる。つまりユーザーは、選択された項目が第一選択肢群から第二選択肢群に移行されたことを違和感無くスムーズに認識することができ、操作性という観点から好ましいといえる。
【００４０】
ステップＳＴ５：
表示制御部４３は、第二選択肢群の内の１つの項目が選択動作部４１によって選択されているときには、例えば図２（ｃ）〜（ｅ）に示すように、最後尾の項目を画面の最下段に、それ以上の項目を配列に基づいて順に並べて表示させ、選択されている項目にフォーカス位置を合わせる。
このように本実施形態の表示制御部４３は、選択された項目（強調表示する項目）がメニュー項目のどこに位置するかによって、当該項目の表示位置（メニュー画面の最下段から何段目に表示するか等）およびフォーカス位置を決定する。
【００４１】
次に、本実施形態の端末装置１００のメニュー画面表示から各機能を実行する際の動作例について説明する。
図４は、端末装置１００のメニュー画面表示から各機能を実行する際の動作例を示したフローチャートである。
ステップＳＴ１１：
表示制御部４３は、メニュー画面表示のためのメモリ領域を記憶部３に確保する。
ステップＳＴ１２：
表示制御部４３は、上記説明したように記憶部３に記憶された配列に基づいてメニュー表示を行う。
【００４２】
ステップＳＴ１３：
操作部１を介したユーザの操作等により、選択動作部４１がメニューの一を選択し、さらにユーザーの操作部１の操作等により、確定動作部４２が選択動作部４１が選択しているメニュー項目を確定する。
ステップＳＴ１４：
機能動作部４４は、ステップＳＴ１３において確定動作部４２が確定したメニュー項目に対応した機能を実行する。
ステップＳＴ１５：
表示制御部４３は、機能動作部４４が動作させる機能に対応した画面を表示部２に表示させ、メニュー画面は消去する。すなわち、ステップＳＴ１１において表示制御部４３が確保したメニュー画面表示用のメモリ領域は必要なくなり、当該メモリ領域が開放される。
【００４３】
ステップＳＴ１６：
ユーザの操作部１を介した操作等によって、機能が終了され、表示制御部４３が元の（機能動作前の）メニュー画面を表示する場合はステップＳＴ１７に進み、そうでない場合（元のメニュー画面を表示せず、例えば待ち受け画面に戻る等）には、機能に使用していたメモリ領域を開放して終了する。かかる選択はユーザの操作部１の操作により行うことが可能である。
ステップＳＴ１７：
表示制御部４３は、実行されていた機能にフォーカス位置を合わせたメニュー画面を表示させる。
【００４４】
上述したメニュー画面の表示方法によれば、フォーカス位置を合わせたいメニュー項目が、全メニュー項目中何番目にあるか、によって、フォーカス位置の表示位置（上或いは下から何番目にフォーカス位置が表示されるか）は決定される。つまり、機能動作部４４が機能を実行する前（確定動作部４２により確定される前）のメニュー画面の状態（どの項目からどの項目までが表示されており、どの項目にフォーカスが当たっていたか）を機能実行中も記憶部３に記憶していなくても、表示制御部４３は機能終了後に機能実行前のメニュー画面を再生して表示することができる。なぜなら、選択・確定されたメニューは、第一選択肢群、第二選択肢群、又は第三選択肢群のいずれかの選択肢群に属しているため、実行されていたメニューがいずれかの選択肢群に属するかによって、その表示位置、フォーカス位置、他のメニューの表示位置等は、自ずと定まるからである。
【００４５】
以上説明したように、本実施形態の端末装置１００によれば、表示制御部４３がメニュー画面を表示部２に表示させる際に、全てのメニュー項目を第一選択肢群と第二選択肢群と第三選択肢群とに分割されている場合に、第一選択肢群中の項目が選択されているときには、第一選択肢群の先頭の項目を画面内の最上段に表示させてそれ以下の項目はメニュー項目の順番通りに表示し、選択された項目を強調表示し、第三選択肢群の項目が選択されているときには、選択された項目を予め定められた表示位置（例えば最下段からｎ−１個上の位置等）に来るようにして強調表示し、その前後のメニュー項目を予め定められた表示位置の上下に表示し、第二選択肢群の項目が選択されているときには、選択されている項目のメニュー項目の最後尾からの数に応じた位置に強調表示させるので、例えば、ユーザがメニュー画面においてフォーカス位置（強調表示された位置）を上下させてメニュー項目の内１つを選択・決定しようとする際に、フォーカスされているメニュー項目の表示の制御のされかたを見ることにより、そのメニューがいずれの選択肢群に属する選択肢であるかを知り、もってそのメニューが全メニュー項目内のどの辺りの項目であるかを見当をつけることができる。
【００４６】
何故なら、本実施形態の表示制御部４３によるメニュー画面において、フォーカス位置が予め定められた表示位置（例えば最後尾からｎ−１個上の位置等）より上にあれば、全メニュー項目の先頭に近い項目であり、フォーカス位置が予め定められた表示位置より下にあれば、メニュー項目全体の内最後尾に近い項目であり、フォーカス位置が予め定められた表示位置にあれば、メニュー項目全体の先頭付近でも最後尾付近でもない項目である、と見当を付けることができるからである。
【００４７】
また、本実施形態の端末装置１００によれば、上記説明したようなメニュー画面における選択されている項目の強調表示方法によって、強調表示するメニュー項目がメニュー項目全体の何番目であるかが分かれば当該選択された項目がメニュー画面のどの位置において強調表示されたか、が自動的に決定されるので、例えば、メニュー項目に対応した端末装置１００の各機能をメニュー画面において選択し、当該機能終了後に機能動作前に表示されていたメニュー画面を再度表示したい場合に、機能動作中に機能動作前のメニュー画面に関する情報、例えば、強調表示する項目がどの項目であってどの位置に表示されていたか、をメモリに記憶する必要なしに、機能動作終了後には当該機能を上記方法に従って強調表示することによって、機能動作前のメニュー画面を再度表示させることができるので、機能動作中にもメニュー画面に関する情報にメモリを占有されることがなくなり、メニュー画面非表示中にはメモリ領域を有効活用できるようになる。
【００４８】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４９】
例えば、詳細な説明中でも述べた通り、上下方向のメニュー画面のみでなく左右方向・斜め方向に各項目が並べられたメニュー画面においても適用可能であり、この場合上述した第一選択肢群に対応する選択肢群と、第三選択肢群に対応する選択肢群と、第二選択肢群に対応する選択肢群と、をそれぞれ左右方向或いは斜め方向に対応させて表示を行えばよい。
【００５０】
以下、変形例について説明する。上述した各実施形態では、第二選択肢群の項目の一が選択された場合には、選択されている項目のメニュー項目の最後尾からの数に応じた位置に強調表示させていたが、本発明はこれに限らず、第二選択肢群の項目が選択された場合においても第三選択肢群が選択された場合と同様に、予め定められた表示領域に表示するよう表示制御してもよい。
【００５１】
つまり、表示制御部４３の立場からいうと、表示制御部４３は、第一選択肢群に係る選択肢の一が選択動作部４１により選択されているときには、先頭の表示領域に先頭の選択肢を表示させると共に、残りの表示領域に記憶部３に記憶されたメニューの配列に基づいて他の選択肢を表示させ、かつ、選択されている一の選択肢を強調表示させ、その他の選択肢群に係る選択肢の一が選択動作部４１により選択されているときには、選択された一の選択肢を複数の表示領域のうち予め定められた表示領域に表示させると共に残りの表示領域に配列に基づいて他の選択肢を表示させ、かつ、前記選択されている一の選択肢を強調表示させる、こととなる。
【００５２】
なお、この第二選択肢郡の項目が選択された場合の予め定められた表示領域は、第三選択肢郡の項目が選択された場合の予め定められた表示領域と同一であることが表示の見易さという観点からは好ましい。
【００５３】
具体的に説明する。上記本実施形態においては、項目１０が選択された図２（ｃ）に示される状態から１回下キーが押下されると項目１１が選択され、その結果、図２（ｄ）に示されるようにフォーカス位置は最下段から２つ前の位置にある状態からその１つ下、つまり最下段から１つ前の位置にずらされて表示部２に表示された状態となり、その状態からさらに１回下キーが押下されると項目１２が選択され、その結果、図２（ｅ）に示されるようにフォーカス位置は最下段から１つ前の位置にある状態からその１つ下、つまり最下段にずらされて表示部２に表示された状態、となる構成となっていたが、本変形例では、項目１１および項目１２が選択された場合も項目１０が選択されていた状態のフォーカス位置と同じ位置にフォーカス表示するよう構成してもよい。
【００５４】
かかる構成にすることにより、ユーザーは表示部に表示されるフォーカス位置（当該一定の位置又は他の位置）の表示制御のされかたに基づいて、選択された選択肢が、第一選択肢群の選択肢なのか又はその他の選択肢群の選択肢なのかを知ることができ、もって、その選択肢が先頭に近い選択肢なのか又は先頭に近い選択肢ではないのか、を好適に知ることができ、操作性が向上する。
【００５５】
また同様に、上述した各実施形態では、第一選択肢群の項目の一が選択された場合には、選択されている項目のメニュー項目の先頭からの数に応じた位置に強調表示させていたが、本発明はこれに限らず、第一選択肢群の項目が選択された場合においても第三選択肢群が選択された場合と同様に、予め定められた表示領域に表示するよう表示制御してもよい。
【００５６】
つまり、表示制御部４３の立場からいうと、表示制御部４３は、第二選択肢群に係る選択肢の一が選択動作部４１により選択されているときには、最後尾の表示領域に最後尾の選択肢を表示させると共に、残りの表示領域に記憶部３に記憶されたメニューの配列に基づいて他の選択肢を表示させ、かつ、選択されている一の選択肢を強調表示させ、その他の選択肢群に係る選択肢の一が選択動作部４１により選択されているときには、選択された一の選択肢を複数の表示領域のうち予め定められた表示領域に表示させると共に残りの表示領域に配列に基づいて他の選択肢を表示させ、かつ、前記選択されている一の選択肢を強調表示させる、こととなる。
【００５７】
なお、この第一選択肢郡の項目が選択された場合の予め定められた表示領域は、第三選択肢郡の項目が選択された場合の予め定められた表示領域と同一であることが表示の見易さという観点からは好ましい。
【００５８】
具体的に説明すると、上記本実施形態においては、項目４が選択された図２（ｂ）に示される状態から１回上キーが順に押下されると、押下の度に一つ前の項目が順に選択されると共にフォーカス位置は１つずつ上に移動し、最終的には３回上キーが押下されると項目１が選択されると共にフォーカス位置が最上段からまで移動された状態となる構成となっていたが、本変形例では、項目１乃至項目３が選択された場合も項目４が選択されていた状態のフォーカス位置と同じ位置にフォーカス表示するよう構成してもよい。
【００５９】
かかる構成にすることにより、ユーザーは表示部に表示されるフォーカス位置（当該一定の位置又は他の位置）の表示制御のされ方に基づいて、選択された選択肢が、第二選択肢群の選択肢なのかその他の選択肢群の選択肢なのかを知ることができ、もって最後尾に近い選択肢なのか又は最後尾に近い選択肢ではないのか、を好適に知ることができ、操作性が向上する。
【図面の簡単な説明】
【００６０】
【図１】図１は、端末装置１００の構成を示すブロック図である。
【図２】図２は、表示部２に表示されるメニュー画面について説明するための図である。
【図３】図３は、表示制御部４３のメニュー画面表示時の動作例を示すフローチャートである。
【図４】図４は、端末装置１００のメニュー画面表示から各機能を実行する際の動作例を示したフローチャートである。
【図５】図５は、従来の画面スクロール方式のメニュー画面表示の一形態を説明するための図である。
【符号の説明】
【００６１】
１００…端末装置（表示機器）、１…操作部、２…表示部、３…記憶部、４…制御部、４１…選択動作部、４２…確定動作部、４３…表示制御部、４４…機能動作部
【図１】
2008052605.tif 000003
【図２】
2008052605.tif 000004
【図３】
2008052605.tif 000005
【図４】
2008052605.tif 000006
【図５】
2008052605.tif 000007